(57)【特許請求の範囲】
【請求項１】
走行車体（２）にトラニオン軸（２３ａ）を回動させて加減速を行う無段変速装置（２３）を設け、該走行車体（２）に操舵輪（１０）を設け、該操舵輪（１０）を操作する操舵部材（３４）を設け、前記走行車体（２）に機体の傾斜を検出する傾斜検知部材（１０１）を設け、該傾斜検知部材（１０１）が左右方向の傾斜を検知すると操舵部材（３４）を操作して走行車体（２）の進行方向を補正する作業車両において、
前記操舵部材（３４）を操作自在な自由状態と、操舵部材（３４）を直進位置に保持する保持状態に切り替える操作切替部材（１０３）を設け、該操作切替部材（１０３）を保持状態に操作していても前記傾斜検知部材（１０１）が機体の傾斜を検知すると、前記操舵部材（３４）の保持を解除して傾斜方向の反対側に操作する構成とし、
前記無段変速装置（２３）に、前記トラニオン軸（２３ａ）を回動させるサーボシリンダ（１２１）を設け、ディザ電流により作動して該サーボシリンダ（１２１）に作動油を供給するサーボバルブ（１２０）を設け、
前記トラニオン軸（２３ａ）を回動操作するための走行操作レバー（１６）を設け、該走行操作レバー（１６）の操作量を検出するレバーポテンショメータ（１６ａ）を設け、前記トラニオン軸（２３）の回動量を検出するトラニオンポテンショメータ（１２５）を設け、該レバーポテンショメータ（１６ａ）の検出に基づいてトラニオンポテンショメータ（１２５）の検出値が所望となるようサーボバルブ（１２０）を制御するコントローラ（１００）を設け、前記トラニオン軸（２３ａ）の回動量を増加させる側にレバーポテンショメータ（１６ａ）の検出値が変化すると、ディザ電流の振幅を小さくするかまたはディザ電流の周波数を高くして、前記サーボシリンダ（１２１）の伸縮するタイミングが前記トラニオン軸（２３ａ）の回動量を減少させる側にレバーポテンショメータ（１６ａ）の検出値が変化したときよりも遅くなるようにサーボバルブ（１２０）から作動油を送油させる構成としたことを特徴とする作業車両。
【請求項２】
前記走行車体（２）の走行速度を、圃場外を走行する路上速と、植付作業を行いながら走行する植付速に切り替える副変速装置を設け、
前記コントローラ（１００）は、該副変速装置を植付速に操作するとディザ電流の振幅を小さくするかまたはディザ電流の周波数を高くして、前記サーボシリンダ（１２１）の伸縮するタイミングが副変速装置を路上速に操作したときよりも遅くなるようにサーボバルブ（１２０）から作動油を送油させる構成としたことを特徴とする請求項１に記載の作業車両。
【請求項３】
前記トラニオンポテンショメータ（１２５）の検出値とレバーポテンショメータ（１６ａ）の検出値が一致しないときは、前記コントローラ（１００）は、前記サーボシリンダ（１２１）の伸縮によるトラニオン軸（２３ａ）の回動操作ができない状態であることを報知する報知装置（１０４）を作動させることを特徴とする請求項１または２に記載の作業車両。
【請求項４】
前記サーボバルブ（１２０）とサーボシリンダ（１２１）との間の油圧回路上に開閉操作可能なサーボ切替弁（１２２）を設け、該サーボ切替弁（１２２）を開くと作動油がタンクポートに移動することを特徴とする請求項１から３のいずれか１項に記載の作業車両。
【請求項５】
前記走行車体（２）の前部に補給用の苗を載置する予備苗枠（３８）を設け、該予備苗枠（３８）は、主リンクアーム（３８３）と複数の副リンクアーム（３８６）に複数の予備苗載せ台（３８ｂ，３８ｃ，３８ｄ）を設け、該主リンクアーム（３８３）及び複数の副リンクアーム（３８６）を回動させる電動モータ（３９０）を設け、電動モータ（３９０）の作動により前記複数の予備苗載せ台（３８ｂ，３８ｃ，３８ｄ）が前後方向に並ぶ展開形態と上下方向に並ぶ積層形態に切替可能に構成され、
前記予備苗枠（３８）を積層形態に切り替えたときに最上段に位置する予備苗載せ台（３８ｂ）に取付支柱（３９３）を設け、該取付支柱（３９３）の上端部で且つ該予備苗載せ台（３８ｂ）の上方に間隔を空けて補助苗載せ台（３８ａ）を設け、前記予備苗枠（３８）を展開形態に切り替えると該補助苗載せ台（３８ａ）は予備苗載せ台（３８ｂ）と共に機体前側に移動する構成とし、
該補助苗載せ台（３８ａ）と最上段の予備苗載せ台（３８ｂ）の間の上下間隔を、複数の予備苗載せ台（３８ｂ，３８ｃ，３８ｄ）の積層状態における互いの間の上下間隔よりも広く構成したことを特徴とする請求項１から４のいずれか１項に記載の作業車両。
【請求項６】
前記傾斜検知部材（１０１）が傾斜を検知する側とは反対側に前記操舵部材（３４）が操作された後、第１の所定時間経過後に前記操舵部材（３４）を直進位置に移動させて保持し、
前記切替操作部材（１０３）を手動で切替操作可能に構成し、該切替操作部材（１０３）を入操作してから第２の所定時間が経過すると直進走行制御を終了することを通知する通知装置（１０４）が作動し、該通知装置（１０４）の作動後に第３の所定時間が経過すると保持状態から自由状態に切り替わり、
前記傾斜検知部材（１０１）が設定値以上の傾斜を検知したときは、前記切替操作部材（１０３）を保持状態から自由状態に切替操作する構成とすると共に、
前記走行車体（２）に苗植付部（４）を設け、該苗植付部（４）を昇降させる昇降油圧シリンダ（４６）を設け、該昇降油圧シリンダ（４６）を操作する昇降操作スイッチ（１６ｂ）を前記走行操作レバー（１６）に設け、前記走行車体（２）にエンジン（２０）を設け、該エンジン（２０）の回転数を検知する回転数計測器を設け、該回転数計測器が検知するエンジン（２０）の回転数が低速域であるときに前記昇降操作スイッチ（１６ｂ）を操作して苗植付部（４）を下降させると、前記トラニオン軸（２３ａ）の回動量を小さくすると共に前記昇降油圧シリンダ（４６）への送油量を小さくする構成としたことを特徴とする請求項１から請求項５の何れか１項に記載の作業車両。
【発明の詳細な説明】
【技術分野】
【０００１】
本発明は、走行車両に苗植付部等の作業装置を連結した、乗用型の作業車両に関するものである。
【背景技術】
【０００２】
従来の作業車両には、方向センサで進行方向を検知して走行し、傾斜センサが機体の左右傾斜を検知すると、検知した傾斜方向とは反対側にハンドルを操舵して進行方向を修正する技術が存在する。（特許文献１）
【先行技術文献】
【特許文献】
【０００３】
【特許文献１】特開平８−１０７７０３号公報
【発明の概要】
【発明が解決しようとする課題】
【０００４】
しかしながら、特許文献１に記載された作業車両は、走行中は進行方向制御を行ない続けるので、作業者が意図するハンドル操舵が行えず、作業者の意図した作業が行えない問題がある。
【０００５】
また、機体の傾斜に合わせてハンドルの自動操舵が何度も行われると、その際に進行方向にずれが生じることがあるが、作業者がこのずれに気付かないとそのまま走行が続けられるので、意図した進行方向からずれたまま進行方向制御が行なわれてしまう問題がある。
【０００６】
さらに、機体が大きく傾斜したときであってもハンドルを自動操舵して進行方向を修正しようとするため、不安定な姿勢の走行が長時間続けられ、作業者の疲労感が増大する問題がある。
【０００７】
また、トラニオン軸の回動量を増減させるサーボシリンダに作動油を供給するサーボバルブを作動させるディザ電流を、トラニオン軸の回動量の増減操作のいずれにおいても振幅を高くするかまたは周波数を低くすることにより、サーボシリンダの伸縮させるタイミングが速く、微細なトラニオン軸の回動量の増減操作が行いにくい問題がある。
【０００８】
本発明は、この問題を解消しようとするものである。
【課題を解決するための手段】
【０００９】
請求項１記載の発明は、走行車体（２）にトラニオン軸（２３ａ）を回動させて加減速を行う無段変速装置（２３）を設け、該走行車体（２）に操舵輪（１０）を設け、該操舵輪（１０）を操作する操舵部材（３４）を設け、前記走行車体（２）に機体の傾斜を検出する傾斜検知部材（１０１）を設け、該傾斜検知部材（１０１）が左右方向の傾斜を検知すると操舵部材（３４）を操作して走行車体（２）の進行方向を補正する作業車両において、前記操舵部材（３４）を操作自在な自由状態と、操舵部材（３４）を直進位置に保持する保持状態に切り替える操作切替部材（１０３）を設け、該操作切替部材（１０３）を保持状態に操作していても前記傾斜検知部材（１０１）が機体の傾斜を検知すると、前記操舵部材（３４）の保持を解除して傾斜方向の反対側に操作する構成とし、前記無段変速装置（２３）に、前記トラニオン軸（２３ａ）を回動させるサーボシリンダ（１２１）を設け、ディザ電流により作動して該サーボシリンダ（１２１）に作動油を供給するサーボバルブ（１２０）を設け、前記トラニオン軸（２３ａ）を回動操作するための走行操作レバー（１６）を設け、該走行操作レバー（１６）の操作量を検出するレバーポテンショメータ（１６ａ）を設け、前記トラニオン軸（２３）の回動量を検出するトラニオンポテンショメータ（１２５）を設け、該レバーポテンショメータ（１６ａ）の検出に基づいてトラニオンポテンショメータ（１２５）の検出値が所望となるようサーボバルブ（１２０）を制御するコントローラ（１００）を設け、前記トラニオン軸（２３ａ）の回動量を増加させる側にレバーポテンショメータ（１６ａ）の検出値が変化すると、ディザ電流の振幅を小さくするかまたはディザ電流の周波数を高くして、前記サーボシリンダ（１２１）の伸縮するタイミングが前記トラニオン軸（２３ａ）の回動量を減少させる側にレバーポテンショメータ（１６ａ）の検出値が変化したときよりも遅くなるようにサーボバルブ（１２０）から作動油を送油させる構成としたことを特徴とする作業車両とした。
【００１０】
請求項２記載の発明は、前記走行車体（２）の走行速度を、圃場外を走行する路上速と、植付作業を行いながら走行する植付速に切り替える副変速装置を設け、前記コントローラ（１００）は、該副変速装置を植付速に操作するとディザ電流の振幅を小さくするかまたはディザ電流の周波数を高くして、前記サーボシリンダ（１２１）の伸縮するタイミングが副変速装置を路上速に操作したときよりも遅くなるようにサーボバルブ（１２０）から作動油を送油させる構成としたことを特徴とする請求項１に記載の作業車両とした。
【００１１】
請求項３記載の発明は、前記トラニオンポテンショメータ（１２５）の検出値とレバーポテンショメータ（１６ａ）の検出値が一致しないときは、前記コントローラ（１００）は、前記サーボシリンダ（１２１）の伸縮によるトラニオン軸（２３ａ）の回動操作ができない状態であることを報知する報知装置（１０４）を作動させることを特徴とする請求項１または２に記載の作業車両とした。
【００１２】
請求項４記載の発明は、前記サーボバルブ（１２０）とサーボシリンダ（１２１）との間の油圧回路上に開閉操作可能なサーボ切替弁（１２２）を設け、該サーボ切替弁（１２２）を開くと作動油がタンクポートに移動することを特徴とする請求項１から３のいずれか１項に記載の作業車両とした。
【００１３】
請求項５記載の発明は、前記走行車体（２）の前部に補給用の苗を載置する予備苗枠（３８）を設け、該予備苗枠（３８）は、主リンクアーム（３８３）と複数の副リンクアーム（３８６）に複数の予備苗載せ台（３８ｂ，３８ｃ，３８ｄ）を設け、該主リンクアーム（３８３）及び複数の副リンクアーム（３８６）を回動させる電動モータ（３９０）を設け、電動モータ（３９０）の作動により前記複数の予備苗載せ台（３８ｂ，３８ｃ，３８ｄ）が前後方向に並ぶ展開形態と上下方向に並ぶ積層形態に切替可能に構成され、
前記予備苗枠（３８）を積層形態に切り替えたときに最上段に位置する予備苗載せ台（３８ｂ）に取付支柱（３９３）を設け、該取付支柱（３９３）の上端部で且つ該予備苗載せ台（３８ｂ）の上方に間隔を空けて補助苗載せ台（３８ａ）を設け、前記予備苗枠（３８）を展開形態に切り替えると該補助苗載せ台（３８ａ）は予備苗載せ台（３８ｂ）と共に機体前側に移動する構成とし、該補助苗載せ台（３８ａ）と最上段の予備苗載せ台（３８ｂ）の間の上下間隔を、複数の予備苗載せ台（３８ｂ，３８ｃ，３８ｄ）の積層状態における互いの間の上下間隔よりも広く構成したことを特徴とする請求項１から４のいずれか１項に記載の作業車両とした。
【００１４】
請求項６記載の発明は、前記傾斜検知部材（１０１）が傾斜を検知する側とは反対側に前記操舵部材（３４）が操作された後、第１の所定時間経過後に前記操舵部材（３４）を直進位置に移動させて保持し、前記切替操作部材（１０３）を手動で切替操作可能に構成し、該切替操作部材（１０３）を入操作してから第２の所定時間が経過すると直進走行制御を終了することを通知する通知装置（１０４）が作動し、該通知装置（１０４）の作動後に第３の所定時間が経過すると保持状態から自由状態に切り替わり、前記傾斜検知部材（１０１）が設定値以上の傾斜を検知したときは、前記切替操作部材（１０３）を保持状態から自由状態に切替操作する構成とすると共に、前記走行車体（２）に苗植付部（４）を設け、該苗植付部（４）を昇降させる昇降油圧シリンダ（４６）を設け、該昇降油圧シリンダ（４６）を操作する昇降操作スイッチ（１６ｂ）を前記走行操作レバー（１６）に設け、前記走行車体（２）にエンジン（２０）を設け、該エンジン（２０）の回転数を検知する回転数計測器を設け、該回転数計測器が検知するエンジン（２０）の回転数が低速域であるときに前記昇降操作スイッチ（１６ｂ）を操作して苗植付部（４）を下降させると、前記トラニオン軸（２３ａ）の回動量を小さくすると共に前記昇降油圧シリンダ（４６）への送油量を小さくする構成としたことを特徴とする請求項１から請求項５の何れか１項に記載の作業車両とした。
【発明の効果】
【００１５】
請求項１記載の発明によれば、操作切替部材（１０３）を保持状態に操作すると、操舵部材（３４）が直進位置で保持されることにより、走行車体（２）の進行方向を固定することができるので、操舵部材（３４）を操作して進行方向を操作する必要が無く、作業能率や操作性が向上する。さらに、作業者は操舵以外の操作に集中することができるので、作業能率が向上する。
【００１６】
そして、傾斜検知部材（１０１）が左右方向の傾斜を検出すると、操舵部材（３４）の保持が解除され、検出された傾斜方向の反対側に操作されるので、傾斜による走行車体（２）の進行方向のずれが自動的に修正されるため、作業者は機体が傾斜するたびに操舵部材（３４）を操作して進行方向を修正する必要が無く、操作性が向上する。
【００１７】
また、トラニオン軸（２３ａ）の回動量を増加させるときにはディザ電流の振幅を小さくするかまたは周波数を高くして、サーボシリンダ（１２１）の伸縮するタイミングがトラニオン軸（２３ａ）の回動量を減少させる側にレバーポテンショメータ（１６ａ）の検出値が変化したときよりも遅くなるようにサーボバルブ（１２０）から作動油を送油させることにより、ディザ電流によるサーボバルブ（１２０）の振動を小さくすることができる。
【００１８】
一方、トラニオン軸（２３ａ）の回動量を減少させるときは、トラニオン軸（２３ａ）の回動量を増加させるときよりもディザ電流の振幅を大きくするかまたは周波数を低くすることにより、サーボシリンダ（１２１）が伸縮するタイミングが早くなるようにサーボバルブ（１２０）に作動油を送油させることができるので、レバーポテンショメータ（１６ａ）の検出値が変化してからトラニオン軸（２３ａ）の回動量が減少するまでの時間が短くなり、急減速や急停車が可能になる。
【００１９】
請求項２記載の発明によれば、請求項１記載の発明の効果に加えて、副変速装置を植付速に操作するとディザ電流の振幅を小さくするかまたは周波数を高くすることにより、サーボシリンダ（１２１）の伸縮するタイミングが副変速装置を路上速に操作したときよりも遅くなるようにサーボバルブ（１２０）から作動油を送油させることができるので、ディザ電流によるサーボバルブ（１２０）の振動を小さくすることができる。
【００２０】
一方、副変速装置を路上速に操作したときは、植付速に操作したときよりもディザ電流の振幅を大きくするかまたは周波数を低くすることにより、サーボシリンダ（１２１）が伸縮するタイミングが早くなるようにサーボバルブ（１２０）に作動油を送油させることができるので、レバーポテンショメータ（１６ａ）の検出値が変化してからトラニオン軸（２３ａ）の回動量が減少するまでの時間が短くなり、急減速や急停車が可能になる。
【００２１】
請求項３記載の発明の効果は、請求項１または２に記載の発明の効果に加えて、ディザ電流の振幅または周波数を増減させてもトラニオンポテンショメータ（１２５）の検出値とレバーポテンショメータ（１６ａ）の検出値が一致しないと報知装置（１０４）が作動することにより、作業者が無段変速装置（２３）の問題に早期に気付くことができる。
【００２２】
請求項４記載の発明の効果は、請求項１から３のいずれか１項に記載の発明の効果に加えて、サーボバルブ（１２０）からサーボシリンダ（１２１）への作動油の供給が停止せずサーボシリンダ（１２１）が伸縮できなくなったときは、サーボ切替弁（１２２）を操作して作動油をタンクポートに移動させることができる。
【００２３】
請求項５記載の発明の効果は、請求項１から４のいずれか１項に記載の発明の効果に加えて、積層形態で最上段に位置する予備苗載せ台（３８ｂ）の上方に補助苗載せ台（３８ａ）を設けたことにより、予備苗枠（３８）を展開状態に切り替えたときに補助苗枠（３８ａ）が前方に突出し過ぎることを防止できるので、苗の積み込み作業中に予備苗枠（３８）が撓み、苗が落下することが防止される。
【００２４】
また、補助苗載せ台（３８ａ）と最上段の予備苗載せ台（３８ｂ）の上下間隔を、複数の予備苗載せ台（３８ｂ，３８ｃ，３８ｄ）同士の上下間隔よりも広くしたことにより、苗の積み込みや取り出しが容易に行える。
【００２５】
請求項６記載の発明の効果は、請求項１から５のいずれか１項に記載の発明の効果に加えて、操舵部材（３４）が操作されてから第１の所定時間が経過すると、操舵部材（３４）が直進位置に操作されて保持状態となることにより、作業者が操舵部材（３４）を操作する必要が無く、操作性や作業能率が向上する。
【００２６】
また、第２の所定時間が経過すると操作切替部材（１０３）が保持状態から自由状態に切り替わることにより、作業者は走行車体（２）の進行方向を確認して操作切替部材（１０３）を切替操作することができ、進行方向にずれが生じても速やかに修正することができ、進行方向がずれたまま作業が継続されることが防止される。
【００２７】
そして、操作切替部材（１０３）を手動で切替操作することができるので、進行方向の制御が不要になったときに制御を終了することができ、多様な作業条件に対応することができる。
【００２８】
さらに、第２の所定時間が経過すると通知装置（１０４）が作動し、この通知装置（１０４）の作動から第３の所定時間が経過すると保持状態から自由状態に切り替わることにより、制御が終了したことに作業者が気がつかず、進行方向がずれたまま作業を続けることを防止できる。
【００２９】
また、エンジン（２０）の回転数が低速域であるときに苗植付部（４）を下降操作すると、トラニオン軸（２３ａ）の回動量を小さくすると共に昇降油圧シリンダ（４６）への送油量を小さくする構成としたことにより、昇降油圧シリンダ（４６）の伸縮が遅くなり、苗植付部（４）の下降速度が低下するので、苗植付部（４）を地面に叩き付けて破損させることを防止できる。
【図面の簡単な説明】
【００３０】
【図１】乗用型田植機の側面図
【図２】乗用型田植機の平面図
【図３】積層形態の予備苗枠の側面図
【図４】展開形態の予備苗枠の側面図
【図５】各制御部材のブロック図
【図６】油圧式無段変速装置のサーボ制御を示すフローチャート
【図７】電動パワーステアリングによるハンドルの補助を示すフローチャート
【図８】直進制御スイッチ入のとき、ハンドルをロックすることを示すフローチャート
【図９】自動直進走行制御を示すフローチャート
【図１０】ハンドル直進位置を作動条件とする自動直進走行制御を示すフローチャート
【図１１】自動直進走行制御の所定時間後自動終了を示すフローチャート
【図１２】設定値以上の傾斜時に自動直進制御を終了することを示すフローチャート
【図１３】走行操作レバーのグリップの拡大正面図
【図１４】エンジン低回転時に苗植付部の下降速度を減速する制御を示すフローチャート
【図１５】苗植付部の上下位置調節に対応する線引きマーカの上下動制御を示すフローチャート
【図１６】旋回時にブロアモータを入切する制御を示すフローチャート
【図１７】施肥量の増減を圃場面積に合わせて適量に変更する制御を示すフローチャート
【図１８】電気抵抗センサを設けた後輪の側面図
【図１９】抵抗値を検出する電気抵抗センサの数の増減により植付深さの変更を検知する制御を示すフローチャート
【図２０】サーボ切替弁を用いる油圧回路図
【図２１】サーボシリンダの伸縮制御を示すフローチャート
【図２２】サーボシリンダの伸縮制御の別実施例を示すフローチャート
【図２３】走行位置に合わせたサーボシリンダの伸縮制御を示すフローチャート
【図２４】油圧系に問題が生じた場合に不具合を表示する制御を示すフローチャート
【図２５】傾斜地での走行車体の移動を規制する制御を示すフローチャート
【発明を実施するための最良の形態】
【００３１】
本発明の実施の形態について、図面に基づき説明する。
【００３２】
本件においては、平面図において、機体の進行方向に対して左側を機体左右一側、機体の進行方向に対して右側を機体左右他側と称する。以下、各部の詳細を具体的に記載する。
【００３３】
図１及び図２は、本発明の作業機の一実施例である乗用型田植機の側面図と平面図である。この乗用型田植機は、走行車体２の後側に昇降リンク装置３を介して苗植付部４を昇降可能に設け、該走行車体２の後部上側に施肥装置５の本体部分を配置している。そして、該走行車体２の前部にミッションケース１２を設け、該ミッションケース１２の左右側方にそれぞれ前輪ファイナルケース１３，１３を設けると共に、該左右の前輪ファイナルケース１３，１３の操向方向を変更可能な各々の前輪支持部から外向きに突出する左右の前輪車軸１４に駆動輪である左右一対の前輪１０，１０を設ける。
【００３４】
また、前記ミッションケース１２の背面部に機体のメインフレーム１５の前端部を固着し、該メインフレーム１５の後端部で且つ左右方向中央部に前後水平に設けた後輪ローリング軸（図示省略）を支点として左右の後輪ギアケース１８，１８をローリング自在に設け、該後輪ギアケース１８，１８から外側方向に向けて突出させた左右の後輪車軸１８ａ，１８ａにそれぞれ後輪１１，１１を軸着する。
【００３５】
さらに、前記メインフレーム１５の上部で且つ、機体の前後及び左右方向の略中央位置にエンジン２０を設け、該エンジン２０の駆動力をベルト伝動装置２１及び油圧式無段変速装置（ＨＳＴ）２３を介して前記ミッションケース１２に伝動する構成とする。そして、前記ミッションケース１２に伝達された回転動力は、該ミッションケース１２に内装するトランスミッション（図示省略）により変速された後、走行動力と外部取出動力に分離して取り出される。
【００３６】
これにより、走行駆動力の一部が前記左右の前輪ファイナルケース１３，１３に伝達されて左右の前輪１０，１０を回転駆動させると共に、残りの走行駆動力は前記左右の後輪ギアケース１８，１８に伝達されて左右の後輪１１，１１を回転駆動させる。
【００３７】
前記油圧式無段変速装置２３は、後述するボンネット３２の上側側方に設ける走行操作レバー１６の操作に対応してトラニオン軸２３ａの開度が変わり、開度が大きくなると前進または後進方向に加速し、開度が小さくなると前進または後進方向に減速する。
【００３８】
本件構成では、図５、図６で示すとおり、該走行操作レバー１６の下端部に走行操作レバー１６の操作量、即ち操作角度を検出する走行ポテンショメータ１６ａを設け、該走行ポテンショメータ１６ａで検出した操作角度をコントローラ１００に入力し、該コントローラ１００が算出した値に合わせてトラニオン軸２３ａの回動を変更して、機体の進行方向や加減速を変更する。
【００３９】
なお、トラニオン軸２３ａの開度を操作するトラニオンアーム２４を、電動または油圧式のＨＳＴサーボモータ２３ｂで回動させる構成とし、コントローラ１００は走行ポテンショメータ１６ａが得た走行操作レバー１６の操作角度に基づいて算出した出力信号を、該ＨＳＴサーボモータ２３ｂに発信し、トラニオン軸２３ａの開度を変更する構成とする。
【００４０】
上記の構成により、走行操作レバー１６とトラニオンアーム２４を連動させる連動メカ機構を構成する必要が無く、部品点数が削減されて機体構造が簡潔になりメンテナンス性が向上すると共に、機体の軽量化が図られる。また、連動機構がないため、走行操作レバー１６を操作する際に必要な力が小さくなり、作業者の労力が軽減されると共に、必要な操作をより短い時間で達成できるので、機体の操作性が大きく向上する。
【００４１】
そして、外部取出動力は、前記走行車体２の後部に設けた植付クラッチケース２５に伝達され、該植付クラッチケース２５から植付伝動軸２６を経由して苗植付部４へ伝動されると共に、施肥伝動機構（図示省略）を経由して前記施肥装置５に伝動される。
【００４２】
前記メインフレーム１５の上部に、該メインフレーム１５を覆う平坦なフロアステップ３５をエンジン２０を避けて設け、該フロアステップ３５上で且つエンジン２０の外周に、エンジン２０を覆うエンジンカバー３０を設ける。該エンジンカバー３０は前側下部を回動支点として回動可能に構成すると共に、上部に作業者が着座する作業座席３１を装着する。
【００４３】
そして、該作業座席３１よりも機体前側で且つフロアステップ３５上に、本件作業車両の各種作業機構を内装するボンネット３２を設け、該ボンネット３２の上部に各作業部の設定を変更操作するスイッチ類を配置する操作パネル３３と、作業者が前記左右の前輪１０，１０を操舵するハンドル３４を設ける。該ハンドル３４の下部には、ハンドル３４の操作量を検出するハンドル切角センサ１０２を設け、検出した前記ハンドル３４の左右方向の操舵量をコントローラ１００に発信する構成とする。
【００４４】
前記ボンネット３２の内部には、図５で示す、該ハンドル３４の操舵をアシストする電動パワーステアリング８０を設け、ハンドル３４の所定量以上の操作を前記ハンドル切角センサ１０２が検出すると作動して、ハンドル３４の操作に必要な作業者の力を軽減させる構成としている。また、前記ボンネット３２の内部に、機体の左右方向への傾斜動作を検知する傾斜検知センサ１０１を設け、圃場の凹凸等により機体が左または右方向に傾くと、該傾斜検知センサ１０１がその傾斜量を信号としてコントローラ１００に発信する構成とする。該傾斜検知センサ１０１は、上下方向の加速度を検出可能な静電容量型、三軸方向の加速度を検出可能な半導体ピエゾ抵抗型等の加速度センサとすると、小型で且つ比較的安価となると共に、ごく短時間内での加速度を検出することができ、収容スペースの軽減や低コスト化、瞬間的な左右の凹凸の検知が容易に行える。
【００４５】
そして、前記傾斜検知センサ１０１の信号を受けた制御装置１００は、図７で示すとおり、機体の傾斜量に合わせて前記電動パワーステアリング８０を作動させ、前記ハンドル３４を機体の傾斜方向の反対方向に所定量回動させる。さらに、前記傾斜検知センサ１０１が検出する左右方向の傾きが無い状態になると、前記電動パワーステアリング８０を再度作動させ、前記ハンドル３４が中立位置になるまで回転させる。なお、ハンドル３４の中立位置は、ハンドル切角センサ１０２が検出する角度から判断する。
【００４６】
上記の、機体の傾斜に対応してハンドル３４を自動的に回動させ、機体の傾斜方向とは反対側に操舵した後、ハンドル３４を直進操作位置に回動させて直進走行を行なう制御は、傾斜検知センサ１０１が機体の左右方向への傾斜を検知する度に行っても良いが、傾斜検知センサ１０１を微細な傾斜を検知可能な加速度センサとすると、走行の妨げにならない程度の微細な左右傾斜であっても電動パワーステアリング８０が回動し、必要以上にハンドル３４が操作され、かえって進行方向を乱してしまう可能性がある。
【００４７】
また、電動パワーステアリング８０を作動させると、その都度バッテリ（図示省略）から電気を消耗する。この消耗が累積し、バッテリの電圧が低下すると、エンジン回転数を上げてオルタネータ（図示省略）の発電量を増やして補充する必要があるが、このときエンジン２０が消費する燃料が多くなり、燃費が悪くなる問題がある。
【００４８】
上記の問題を防止すべく、図９で示す前記操作パネル３３に直進制御スイッチ１０３を設け、該直進制御スイッチ１０３を「入」操作、即ち図８で示す、ハンドル３４を直進位置で保持しているときのみ、傾斜検知センサ１０１が傾斜を検知すると、前記電動パワーステアリング８０を作動させてハンドル３４を回動操作する構成とすると、作業者が直進走行制御の必要性を感じる状況下においてのみハンドル３４の自動操作を行うことができ、燃費の悪化が防止されると共に、進行方向が乱れることが防止される。
【００４９】
なお、直進制御スイッチ１０３を「切」操作、即ちハンドル３４を自由に手動操作可能な状態とすると、前記電動パワーステアリング８０はハンドル切角センサ１０２の検知角度に合わせて、ハンドル３４の操作をアシストする機能に戻る。
【００５０】
そして、自動的にハンドル３４が操作されて機体が直進走行することにより、作業者は苗の植付や施肥が正常に行われているか確認したり、苗や肥料の残量を確認したり、走行状態の設定の見直しを行ったりすることができるので、苗の植付精度の向上、施肥精度の安定化、並びに作業条件の適切化を図ることができ、作業能率や作業精度が大幅に向上する。
【００５１】
上記の方式は、作業者が直進制御スイッチ１０３を「入」操作すると直進走行制御が行なわれる方法であるが、該直進制御スイッチ１０３を操作パネル３３に新たに設ける必要があり、スペースを余分に取ると共に、操作を伝達するハーネス等の部材が新たに必要になる。
【００５２】
このため、新規に伝達部材を設けることなく、ハンドル３４とコントローラ１００を用いる直進制御の開始方法として、下記の方法が考えられる。
【００５３】
図１０で示すとおり、前記ハンドル３４の操作を検知するハンドル切角センサ１０２が所定時間（例：１０〜１５秒）連続して直進走行位置（ハンドル切角センサ１０２の検知角度が略０度〜±５度となる位置）を検知し続けると、コントローラ１００が電動パワーステアリング８０を作動させ、直進制御を開始する構成としてもよい。
【００５４】
上記構成とすると、作業者がハンドル３４を直進走行位置に維持し続けている、あるいは作業者がハンドル３４を操作することなく直進走行位置が維持されている状態が所定時間続くと、コントローラ１００が電動パワーステアリング８０を作動させて自動直進制御を開始することができるので、新規にハーネス等の伝達部材を設ける必要が無く、機体の構造が単純化され、メンテナンス性が向上すると共に、機体の軽量化が計られる。
【００５５】
なお、ハンドル３４の操作位置を直進走行制御の「入」条件とするときは、ハンドル切角センサ１０２がハンドル３４を進行方向を変更し得る操作角度（例：１５度〜）を検知すると、コントローラ１００が直進走行制御を「切」操作する構成とする。
【００５６】
但し、上記の直進制御は、ハンドル３４の自動操作による進行方向の修正を行う際に誤差が生じ得るものであり、この誤差が累積すると作業者が想定する直進方向からずれた方向に走行する可能性がある。このため、図１０、図１１で示すとおり、直進制御スイッチ１０３の入切、またはハンドル３４の所定時間操作のいずれを用いる構成においても、コントローラ１００は所定時間（例：１〜５分）経過すると「切」操作を自動的に行い、直進走行制御を終了する構成とすると、苗の左右の植付間隔が広がり過ぎ、苗の無い領域が発生することを防止できるので、圃場面積に対応する量の苗が確実に植付可能となり、収穫量が向上する。
【００５７】
あるいは、苗の左右の植付間隔が狭くなり過ぎ、風通しが悪くなることにより、栄養の取り合いで生育異常を起こしたり、病害虫により枯れてしまったりすることを防止できるので、収穫量が向上すると共に、作物の品質が向上する。
【００５８】
なお、直進走行制御を突然終了すると、作業者が進行方向の修正を忘れて進行方向が乱れる可能性があるので、図９、図１０で示すとおり、コントローラ１００に設定された自動「切」操作時間よりも所定時間（例：５〜１０秒）前になるとブザー１０４ａやランプ１０４ｂ等の通知装置１０４を作動させ、聴覚情報や視覚情報で制御の終了を作業者に通知する構成とするとよい。
【００５９】
あるいは、図１１で示すとおり、前記ミッションケース１２から左右の後輪ギアケース１８，１８に駆動力を伝動する左右のドライブシャフト１２ａ，１２の回転数をそれぞれ計測する左右の後輪回転センサ１０５，１０５を設け、該左右の後輪回転センサ１０５，１０５の回転数が所定回転数以上（例：３０〜５０回転）になると、直進走行制御を自動的に「切」操作する構成としてもよい。
【００６０】
上記構成により、直進走行制御が自動終了した後、作業者が直進走行制御を「入」操作することを忘れたり、ハンドル３４を操作して進行方向を決定することを忘れたりすることが防止されるので、苗の植付が直進方向から大きくずれることが防止され、苗の植付精度が向上する。
【００６１】
また、上記の直進制御構成に加えて、図１２で示す、直進走行制御中に傾斜検知センサ１０１が機体の左右方向への設定値以上（例：１５度〜）の傾斜を検知すると、子前記コントローラ１００が前記ＨＳＴサーボモータ２３ｂを減速方向に作動させ、走行速度を極低速まで落とす、あるいはアイドリング状態にする制御構成としてもよい。
【００６２】
なお、走行中に突然急減速、または急停止すると苗の植付姿勢が乱れると共に、慣性により作業者が揺さぶられて不快感を覚える可能性がある。しかしながら、急減速または急停止しなければ苗の植付列が直線状にならなくなるので、図９から図１２で示すとおり、ＨＳＴサーボモータ２３ｂに作動信号が発信されると、前記通知装置１０４にも作動信号が送られ、ＨＳＴサーボモータ２３ｂが作動する所定時間（５〜１０秒）前に通知装置１０４が作動し、急減速または急停止を作業者に警告する構成とするとよい。
【００６３】
上記構成により、作業者は急減速または急停止に備えることができると共に、直進制御操作不能な状態にあることを認識することができるので、急減速または急停車後に不用意に直進走行制御を使うことなく、ハンドル３４を操作して直進走行に復帰させることができる。
【００６４】
前記フロアステップ３５のうち、作業座席３１の左右両側は格子状に形成し、フロアステップ３５上を異動する作業者の足等に付着した泥土が圃場に落下する構成としている。さらに、図２に示すとおり、フロアステップ３５の左右両側に、左右の延長ステップ３５ａ，３５ａを着脱自在に設け、該左右の延長ステップ３５ａ，３５ａを格子形状とすることにより、作業座席３１に到達する前に泥土を落とし、フロアステップ３５上に泥土が残りにくく、作業後の掃除に要する労力が軽減される構成としている。
【００６５】
そして、前記フロアステップ３５の後部には、前記左右の後輪１１，１１のフェンダを兼ねるリアステップ３６，３６を設ける。該リアステップ３６，３６は、機体前側から後側に向かう後上り傾斜姿勢の部分と、この後上り傾斜姿勢の終端部から機体後方に向かう平坦な部分を有しており、作業者は前記苗植付部４に苗を補充する時には、この平坦な部分に立って作業をすることができるので、苗の補充作業の能率が向上する。
【００６６】
なお、前記左右の延長ステップ３５ａ，３５ａの機体後部も、前記左右のリアステップ３６，３６と同じ形状に構成すると、植付条数が多く、苗植付部４の左右幅が広い機体であっても、作業者は苗植付部４に近付いて苗の補充作業をすることができるので、作業能率が向上する。
【００６７】
また、走行車体２の前部左右両側には、補給用の苗を載置する予備苗枠３８，３８が、機体よりも側方に張り出す位置と内側に収納した位置とに回動可能に設けられている。該左右の予備苗枠３８，３８は苗を載置する複数の予備苗載せ台３８ａ，３８ｂ，３８ｃ，３８ｄを備え、該予備苗載せ台３８ａ，３８ｂ，３８ｃ，３８ｄが側面視で前後方向に並ぶ展開形態（第１の形態）と、上下方向に並ぶ積層形態（第２の形態）に切替可能な構成とする。
【００６８】
本件実施例では、この複数の予備苗載せ台を、展開形態では機体前側から第１、第２、第３、第４の予備苗載せ台と呼称し、積層形態では機体上側から第１、第２、第３、第４の予備苗載せ台と呼称する。但し、この呼称は参考として提示するものであり、予備苗載せ台の数量を限定するものではない。
【００６９】
苗の植付作業をするときは前記左右の予備苗枠３８，３８を機体よりも側方に張り出させることにより、該左右の予備苗枠３８，３８とボンネット３２との間に、機体前側から走行車体２上に作業者が乗り降りするスペースを確保することができるので、作業者は圃場の位置に合わせて乗り降りする位置を選択することができ、作業能率が向上するとともに、乗り降りの際の安全性が向上する。
【００７０】
一方、作業を終えて本件作業車両を軽トラック等の輸送車両や、倉庫等の収納場所に収納するときは、前記左右の予備苗枠３８，３８を回動させて走行車体１の左右幅内に収めることにより、左右幅をコンパクトにすることができるので、余分な収納スペースを取ることがなくなる。
【００７１】
前記予備苗枠３８の構成について、図３、図４で説明する。
【００７２】
走行車体１の左右両側に支柱３８１をそれぞれ設け、該支柱３８１の上部に主支持フレーム３８１ａを設けると共に、該主支持フレーム３８１ａよりも後ろ側に、側面視でＬ字型の副支持フレーム３８１ｂを設ける。そして、該主支持フレーム３８１ａの上端部に主リンクアーム３８３を回動中心軸３８４を介して回動自在に装着し、前記副支持フレーム３８１ｂの上端部に副回動軸３８５を介して後側の副リンクアーム３８６ｂを回動自在に配置する。
【００７３】
また、前記主リンクアーム３８３及び副リンクアーム３８６ｂが積層状態であるときの下端部に第４の予備苗載せ台３８ｄを取り付ける第４取付フレーム３８７ｄを設け、前記回動中心軸３８４及び副回動軸３８５よりも上方位置に第３の予備苗載せ台３８ｃを取り付ける第３取付フレーム３８７ｃを設ける。さらに、前記主リンクアーム３８３の上端部に第２の予備苗載せ台３８ｂを取り付ける第２取付フレーム３８７ｂの後部側を取り付け、該第２取付フレーム３８７ｂの前部側に前側の副リンクアーム３８６ａの上端部を取り付けると共に、該前側の副リンクアーム３８６ａの下端部を前記第３取付フレーム３８７ｃの前部側に取り付ける。
【００７４】
そして、前記回動中心軸３８４に回動ギア３８８を軸着し、該回動ギア３８８に電動モータ３９０に取り付けた駆動ギア３８９を噛み合わせ、該回動ギア３８８と電動モータ３９０を苗枠伝動ケース３９１に内装する。
【００７５】
さらに、前記第２取付フレーム３８７ｂの上部で且つ前後方向の略中央位置に取付支柱３９３を設け、該取付支柱３９３の上端部に第１の予備苗載せ台３８ａを取り付ける第１取付フレーム３８７ａを取り付ける。前記取付支柱３９３は、積層形態であるときに第１の予備苗載せ台３８ａと第２の予備苗載せ台３８ｂの上下間隔が、第２の予備苗載せ台３８ｂと第３の予備苗載せ台３８ｃ、及び第３の予備苗載せ台３８ｃと第４の予備苗載せ台３８ｄの上下間隔よりも広くなる長さとする。また、前記予備苗枠３８を展開形態に切り替えると、第１の予備苗載せ台３８ａは第２の予備苗載せ台３８ｂと共に前側に移動する構成とする。
【００７６】
なお、前記取付支柱３９３は、第１取付フレーム３８７ａの前後方向にそれぞれ一つずつ設ける構成とすると、支持強度が向上し、耐久性が向上する。
【００７７】
上記により、前記電動モータ３９０を作動させて駆動ギア３９０を回転させ、回動ギア３８８を回転させると、主リンクアーム３８３、前側及び後側の副リンクアーム３８６ａ，３８６ｂが積層形態となる方向及び展開形態となる方向に回動させる構成となるので、作業者は予備苗枠３８を積層形態または展開形態に切り替える際、手作業で主リンクアーム３８３等を移動させる必要がなく、作業者の労力が軽減される。
【００７８】
また、図２で示すとおり、前記電動モータ３９０の作動を入切操作する苗枠操作スイッチ３９２をボンネット３２の上部で且つ、操縦座席３１に着座した作業者が手を伸ばすと届く位置に配置すると、作業者は操縦座席３１から降りることなく予備苗枠３８の形態の切替操作を行なうことができるので、作業能率が向上する。
【００７９】
そして、予備苗枠３８を展開形態に切り替えると、第２、第３、第４の予備苗枠３８ｂ，３８ｃ，３８ｄが前後方向に直線状に並ぶことによって、第２の予備苗枠３８ｂに積み込んだ苗を押すと後側の第３または第４の予備苗枠３８ｃ，３８ｄに移動させることができるので、苗の積み込み作業能率が向上する。
【００８０】
さらに、第２の予備苗載せ台３８ｂの上方に第１の予備苗載せ台３８ａが位置することにより、作業者は第１の予備苗載せ台３８ａに苗を積み込むことができるので、作業能率が向上するとともに、展開形態にした予備苗枠３８が前方に突出し過ぎないため、苗の積み込み作業中に予備苗枠３８が撓むことがなく、苗が振り落とされることが防止される。
【００８１】
また、第１の予備苗載せ台３８ａと第２の予備苗載せ台３８ｂの上下間隔を、第２、第３の予備苗載せ台３８ｂ，３８ｃ、及び第３、第４の予備苗載せ台３８ｃ，３８ｄの上下間隔よりも広くしたことより、積層形態または展開形態に予備苗枠３８を切り替えるとき、主リンクアーム３８３の回動軌跡に第１の予備苗載せ台３８ａ及び第１取付フレーム３８７ａが干渉することを防止できる。
【００８２】
なお、電動モータ３９０に温度変化によって屈曲するバイメタル、あるいは許容量以上の負荷がかかると即座に通電を遮断する通電遮断部材を内装し、主リンクアーム３８３、前側及び後側の副リンクアーム３８６ａ，３８６ｂが積層形態または展開形態になってそれ以上回動できなくなった際に電動モータ３９０に負荷がかかると自動的に電動モータ３９０の通電が停止する構成とすると、予備苗枠３８が積載状態または展開状態になると同時に電動モータ３９０を停止させるためのスイッチ等の停止制御部材が不要となるので、予備苗枠３８の切替操作機構が簡易化される。
【００８３】
次に、苗植付部４等について説明する。
【００８４】
図１及び図２で示すとおり、前記昇降リンク装置３は、上部リンクアーム４０と左右一対の下部リンクアーム４１，４１で構成する平行リンクとし、該上部リンクアーム４０と下部リンクアーム４１，４１の一側端部を前記メインフレーム１５の後部側に立設する背面視門型のリンクベースフレーム４２に取り付ける。また、前記上部リンクアーム４０と下部リンクアーム４１，４１の他側端部を苗植付部４側の上下リンクアーム４３に取り付ける。
【００８５】
さらに、前記上下リンクアーム４３の下端部に、苗植付部４に回転自在に支承された連結軸を（図示省略）挿し込んで連結し、該連結軸を中心として苗植付部４をローリング自在に連結する。そして、前記メインフレーム１５に固着した支持部材と上部リンクアーム４０に一体形成したスイングアーム（図示せ省略）の先端部の間に昇降油圧シリンダ４６を伸縮自在に設け、該シリンダ４６を油圧で伸縮させることにより前記上部リンクアーム４０が上下に回動して苗植付部４がほぼ一定姿勢のまま昇降する構成とする。該昇降油圧シリンダ４６の伸縮操作は、図１３で示す、前記走行操作レバー１６のグリップ部に作業者が指で操作可能に設ける昇降操作スイッチ１６ｂの操作で行うものとする。
【００８６】
該昇降油圧シリンダ４６は、機体各部に作動油を供給する油圧バルブ１０６から作動油の供給を受けて伸縮するものであり、作動油が供給されると伸張し、作動油が放出されると収縮するものである。昇降油圧シリンダ４６の伸縮速度は、作動油の供給または排出速度に比例する。
【００８７】
なお、油圧バルブ１０６は、電気信号により圧力や送油量を微細に変化させることのできる電磁比例弁とすると、送油量や圧力をコントローラ１００を介して微細に調節することができるので、各作業部の作動速度の変更や全体への送油量の制御が容易となり、作業部の設定をより細かくすることが可能となり、作業条件適応性が向上する。
【００８８】
上記により、苗植付部４を略同じ姿勢のままで上下移動させることができるので、圃場端での旋回時等に苗植付部４を上昇させ、旋回終了後に苗植付部４を下降させれば植付姿勢に戻るため、細かい調節操作が不要となり、作業能率が向上する。
【００８９】
なお、前記ＨＳＴサーボモータ２３ｂを備える苗移植機において、図１４で示す制御構成を加えることもできる。
【００９０】
前記エンジン２０の回転数が低速域（例：１８００〜２２００ｒｐｍ）であるとき、前記昇降操作スイッチ１６ｂを下降操作して苗植付部４を下降させると、前記ＨＳＴサーボモータ２３ｂが作動してトラニオン軸２３ａの開度を小さくし、油圧バルブ１０６から昇降油圧シリンダ４６への送油量を絞る制御構成とする。
【００９１】
昇降油圧シリンダ４６への送油量が絞られて減少すると、昇降油圧シリンダ４６の収縮速度が遅くなる。これにより、苗植付部４の下降速度が低下するので、昇降操作スイッチ１６ｂの操作を誤って苗植付装置４の下部を地面に叩き付けることが防止され、苗植付部４の破損が防止される。
【００９２】
特に、軽トラック等の搬送機への積み込みを行うときや、倉庫等の収容施設に苗移植機を収容する際、後進移動しながら苗植付部４を安全に降ろすことができ、作業性が向上する。
【００９３】
なお、上記の制御条件ではエンジン２０の回転数が低回転域にあるとき、としているが、この低回転域は植付作業時にも燃費向上のため用いることがある。植付作業時に苗植付部４の下降速度が遅いと、圃場端で旋回を終えて植付直進走行を再開する際、苗植付部４が適切な高さに下降するまで待たねばならず、作業能率が低下するので、前記植付クラッチケース２５の内部の植付クラッチ２５ａの入切状態を検知するリミットスイッチ１０７を設け、該リミットスイッチ１０７が「切」状態、即ち植付クラッチ２５ａが「切」状態であることを検知しており、且つエンジン２０が低回転域にあるときのみ、油圧バルブ１０６が送油量を絞る制御構成とすると、苗の植付作業中の苗植付部４の昇降が円滑に行われ、作業能率が向上する。
【００９４】
そして、図１及び２で示すとおり、本件では、前記苗植付部４は８条植の構成とし、苗を一条分ずつ積載する複数の（本件では８つの）苗載せ台５１…を左右方向に連結して設け、該苗載せ台５１…の下方に苗植付部４のフレームを兼ねる苗植付伝動ケース５０を設け、該苗植付伝動ケース５０の駆動力により複数の苗載せ台５１…を左右方向に往復移動させる構成とする。そして、前記苗植付伝動ケース５０から駆動力を取り出す苗植え伝動ケース５４…を左右方向に等間隔を空けて複数（本件では４つ）装着し、該苗植え伝動ケース５４…の左右両側に楕円軌跡を描いて回転駆動しながら苗を取って圃場に植え付ける植付装置５２，５２をそれぞれ装着する。
【００９５】
さらに、前記連結した苗載せ台５１…の左右幅よりも左右方向に長い、苗載せ台５１…に積載された苗を受け止める側面視Ｌ字型の苗受け板５１ｃを設け、該苗受け板５１ｃに、前記苗載せ台５０に積載した苗を植付装置５２…が掻き取る際に通過する苗取出口５１ａ…を複数ヶ所（本件では８ヶ所）切り欠いて形成する。また、前記苗載せ台５１…の下部側に、各条に所定間隔ごとに苗を苗受け板５１ｃ側（苗植付装置４の下部側）に移動させる左右一対の苗送りベルト５１ｂ，５１ｂを設け、該左右の苗送りベルト５１ｂ，５１ｂの左右間に、積載された苗の量が所定量未満になったことを検知する苗補充センサ１４０…を各条毎に設ける。
【００９６】
該苗補充センサ１４０…が苗の減少を検知すると、前記ブザー１０４ａやランプ１０４ｂ等の通知装置１０４を作動させて、作業者に苗の補充作業の必要があることを報知する。
【００９７】
上記により、苗が無くなったことに作業者が気づかず、苗が植え付けられない区間が発生することを防止できるので、苗の植付作業能率が向上する。また、作業者が苗の植え付けられなかった場所に、手作業で苗を植え付ける作業が不要となるため、作業者の労力が軽減される。
【００９８】
前記苗植付部４の下部には、左右方向の略中央位置にセンターフロート５５を設け、該センターフロート５５の左右両側にミドルフロート５７，５７とサイドフロート５６，５６をそれぞれ設ける。該センターフロート５５、サイドフロート５６，５６及びミドルフロート５７，５７は、苗植付部４を下降させて苗の植え付け作業を行うとき、圃場の泥面（圃場の表土面）に接地し、機体を進行させると、センターフロート５５、サイドフロート５６，５６及びミドルフロート５７，５７が泥面を整地しつつ滑走する。この整地跡に前記苗植付装置５２…が苗が植え付けるよう、前記苗植え伝動ケース５４…の前後長さ及び苗植付装置５２…の植付軌跡が設定されている。
【００９９】
そして、前記センターフロート５５、サイドフロート５６，５６及びミドルフロート５７，５７は、圃場の表土面の凹凸に合わせて前端側が上下動するように回動自在に取り付けられている。特に、前記センターフロート５５の取付基部には、該センターフロート５５の前部の上下動する角度を検知する仰角センサ（ポテンショメータ）１０８が設けられており、該仰角センサ１０８の検知した角度に合わせて前記昇降油圧シリンダ４６を伸縮制御する前記油圧バルブ１０６の開度を変更し、苗植付部４を昇降させることにより、苗の植付深さを一定に維持する構成としている。
【０１００】
上記により、苗をセンターフロート５５、サイドフロート５６，５６及びミドルフロート５７，５７で均した場所に植えることができるので、苗の周りの土の高さに偏りが生じにくくなり、苗の生長が安定し、作物の品質が向上する。
【０１０１】
そして、仰角センサ１０８が検出するセンターフロート５５の上下角度に合わせて苗植付部４を昇降させることにより、苗の植付深さを安定させることができるので、苗の植付深さが浅くなり過ぎ、圃場に張った水の流れで苗が流されたり、強風で苗が飛ばされたりすることが防止されるため、作物の収穫量が向上する。
【０１０２】
また、苗の植付深さが深くなり過ぎ、日照不足や水分過多により作物の生育が乱れることを防止できるので、作物の品質が向上すると共に、植付作業後に苗が枯れることを防止できる。
【０１０３】
さらに、前記苗植付部４の下部の左右両側には、苗の植付走行の際、次に植付作業を行う側の圃場面に直進の目安となるラインを形成する左右の線引きマーカ１０９，１０９を設けている。該左右の線引きマーカ１０９，１０９は、左右方向に回動自在に設けるマーカロッド１０９ａと、該マーカロッド１０９ａの端部に圃場面に接触して泥土を押し下げ、ラインを形成する線引き体１０９ｂで構成する。なお、該線引き体１０９ｂは、固定方式の棒体や、回転可能なディスク体で構成する。
【０１０４】
そして、次の苗の植付位置で作業をする際、前記ボンネット３２の前側に前後方向に回動可能に設けたセンターマスコット７５を前記線引きマーカ１０９で圃場に形成したラインと合わせて走行することにより、直進走行が行いやすくなり、作業能率や植付精度が向上する。
【０１０５】
前記苗植付部４の機体前側の左右中央部近傍には、前記ハンドル３４を操作して旋回するときに左右の線引きマーカ１０９，１０９を圃場から退避する非作業状態にし、旋回終了後に左右一側の線引きマーカ１０９を圃場に設置する作業状態にすると共に、左右他側の線引きマーカ１０９を非作業状態に切り替えるマーカアクチュエータ１１０ａを備えるマーカ切替機構１１０を備えている。次の旋回の際には、左右他側の線引きマーカ１０９が作業状態になり、左右一側の線引きマーカ１０９が非作業状態となる構成としており、これにより左右どちらに旋回しても、次の作業位置にラインを形成することができる。
【０１０６】
しかしながら、圃場の硬度は常に一定ではなく、凹凸があるとセンターフロート５５が持ち上がるので、センターフロート５５が回動しやすく苗植付部４が上下動しやすい土質が硬い部分、及び凹凸があってもセンターフロート５５が均すので、センターフロート５５が回動しにくく苗植付部４が上下動しにくい土質が柔らかい部分がある。土質が硬い部分においては、苗植付部４が頻繁に上下動し、上昇時には線引きマーカ１０９，１０９が圃場面から離間し、ラインが形成できず、次の植付作業位置での直進走行が困難になる問題が生じることがある。
【０１０７】
また、土質の固い位置で、線引きマーカ１０９，１０９が過度に下方回動すると、線引き体１０９ｂが土中に深く入り込み、土中抵抗で破損する問題がある。
【０１０８】
上記の問題を解消すべく、図１５で示すとおり、前記操作パネル３３に、センターフロート５５の仰角センサ１０８の感度を変更する感度変更ダイヤル１１１を設け、仰角センサ１０８が検出する角度変化が標準値より格段に小さい値でも油圧バルブ１０６を開閉する敏感側と、仰角センサ１０８が検出する角度変化が標準値より格段に大きい値になると油圧バルブ１０６を開閉する鈍感側に操作可能に構成する。なお、敏感側と鈍感側の中間に合わせたとき、仰角センサ１０８が油圧バルブ１０６を開閉動作する角度を標準値とする。
【０１０９】
前記感度変更ダイヤル１１１を操作すると、前記仰角センサ１０８が角度の変化を検知して油圧バルブ１０６の開閉信号をコントローラ１００に送る角度が増減されるので、この数値を基準値としてコントローラ１００に記録する。
【０１１０】
前記感度変更ダイヤル１１１を敏感に操作したときは、前記仰角センサ１０８の検知角度と基準値の差が僅かに生じると、苗植付部４の上昇または下降が行われるので、苗植付部４が上昇するときにはマーカアクチュエータ１１０ａが線引きマーカ１０９を下降させ、苗植付部４が下降するときにはマーカアクチュエータ１１０ａが線引きマーカ１０９を下降させる。
【０１１１】
これにより、苗植付部４が昇降しても、線引きマーカ１０９が適切な線引き高さに維持されるので、圃場に直進走行の目安となる線が確実に形成されると共に、線引き体１０９ｂが土中に潜り込み過ぎては存することが防止される。
【０１１２】
一方、前記感度変更ダイヤル１１１を鈍感に操作したときは、前記仰角センサ１０８の検知角度と基準値の差が大幅に生じたときのみ、上記と同じく苗植付部４が上昇すると線引きマーカ１０９を下降させ、苗植付部４が下降すると線引きマーカ１０９が上昇する構成とする。
【０１１３】
これにより、センターフロート５５が大幅に上下回動するとき、即ち圃場の凹凸が激しく、苗の植付深さが著しく乱れるおそれがあるときのみ苗植付部４及び線引きマーカ１０９の上下位置が変更され、昇降機構の負荷が小さくなり、耐久性が向上する。
【０１１４】
また、線引きマーカ１０９が圃場面から離間することを防止できるので、次の植付作業位置に直進の目安とするラインが確実に形成され、直進走行が的確に行われるため、作業能率や苗の植付精度が向上する。
【０１１５】
また、線引きマーカ１０９の線引き体１０９ｂが土中に入り込み過ぎることを防止できるので、接触抵抗で線引き体１０９ｂが破損することが防止され、線引きマーカ１０９の耐久性が向上すると共に、圃場にラインを確実に形成できるので、作業能率が向上する。
【０１１６】
前記施肥装置５は、肥料ホッパ６０に貯留した粒状の肥料を複数条分（本件では８条分）の繰出部６１…から一定量ずつ繰り出し、その肥料を複数条分（本件では８条分）の施肥ホース６２…で前記センターフロート５５、サイドフロート５６，５６、ミドルフロート５７，５７の左右両側に取り付けた施肥ガイド（図示省略）まで案内し、該施肥ガイド…の前側に設けた作溝体（図示省略）…によって苗植付条の側部近傍に形成される施肥溝内に落とし込む構成としている。
【０１１７】
また、ブロア用電動モータ５３で駆動するブロア５８で発生させた風が、左右方向に長いエアチャンバ５９を経由して前記施肥ホース６２…に吹き込まれ、該施肥ホース６２…内の肥料を風圧で強制的に搬送する構成としている。
【０１１８】
上記により、各条の苗の植付位置に作溝体で形成した溝に粒状の肥料を落とすことができるので、肥料が水流や風によって苗から離れた位置に移動することが防止され、苗が肥料不足で生育不良を起こすことがなく、作物の生育が安定する。
【０１１９】
また、肥料が一ヶ所に集まり、養分過多が原因となる生育不良の発生、一部の作物だけが急速に生長して収穫時期が乱れることを防止できるので、作物の品質が安定する。
【０１２０】
前記苗植付部４には、整地装置の一例であるセンターロータ２７ａと、左右一対のサイドロータ２７ｂ，２７ｂが設けられている。また、前記連結した苗載せ台５１…は、苗植付部４の全体を支持する左右方向と上下方向に幅一杯の矩形の支持枠体６５の支持ローラ６５ａをレールとして左右方向にスライドする構成としている。
【０１２１】
上記の施肥装置５では、ブロア５８はブロアモータ５８ａの作動の入切によって送風状態と停止状態を切り替える構成となっており、該ブロアモータ５８ａは、機体のキーの入切に連動して作動する構成としている。
【０１２２】
しかしながら、ブロア５８が作動状態である必要があるのは、苗植付部４が圃場に苗を植え付けているとき、もしくは作業終了後に残った肥料を肥料ホッパ６０から排出するときであり、旋回時など植付作業を行っていないときは不要な電力消費の原因となっている。
【０１２３】
前記ブロア５８は、全ての条に肥料を送ることのできる風を発生させる必要があるので、植付条数が多いほどブロアモータ５８ａは出力の大きなものとする必要があり、その分消費電力が多くなり、他の電力を必要とする作業部が動作不能になる問題がある。
【０１２４】
上記の問題を解消すべく、図５及び図１６で示すとおり、苗植付部４を上下動させる昇降リンク機構３に、該昇降リンク機構３の昇降位置を検知するリンクセンサ１１２を設け、昇降リンク機構３が所定角度以上上昇、または下降したことを該リンクセンサ１１２が検知すると、前記コントローラ１００に信号を送信し、前記ブロアモータ５８ａの「切」信号または「入」信号を発信させる制御構成とする。
【０１２５】
前記リンクセンサ１１２が苗植付部４の「上昇」を検知すると、コントローラ１００はブロアモータ５８ａの「切」信号を発信し、ブロアモータ５８ａを停止させる。そして、前記リンクセンサ１１２が苗植付部４の「下降」を検知すると、コントローラ１００はブロアモータ５８ａの「入」信号を発信し、ブロアモータ５８ａを作動させる制御構成とする。
【０１２６】
上記の制御構成により、苗植付部４の昇降に連動してブロアモータ５８ａを自動的に入切することができるので、肥料の排出を行なう必要の無い作業時にブロアモータ５８ａを切っておくことができるので、電力の消費が抑制され、電力不足により作業が中断されることが防止されると共に、ブロアモータ５８ａが無駄に使用されなくなるので、ブロアモータ５８ａの耐久性が向上する。
【０１２７】
なお、苗植付部４の昇降位置を基準としてブロアモータ５８ａを入切すると、肥料の供給が突然途切れる、及び肥料の供給開始が遅れることがあり、旋回直前に植え付ける苗に肥料が供給されない、及び旋回終了後に植付走行を再開した直後に植え付けた苗に肥料が供給されない、ということになり、生育に差が生じることが想定される。特に、ブロア５８から離れた条は、ブロアモータ５８ａを切るとすぐに肥料の供給が止まると共に、ブロアモータ５８ａを入れてもすぐには肥料の供給が始まらないため、施肥漏れが生じやすい。
【０１２８】
このため、リンクセンサ１１２が苗植付部４の昇降を検知し、ブロアモータ５８ａの「入」または「切」信号を発信する際、「切」信号は所定時間（例３〜５秒）経過後に発信され、「入」信号は苗植付部４の下降が終了する所定時間（例：３〜５秒）前に発信される制御構成とすると良い。
【０１２９】
上記制御構成により、旋回を開始してその植付作業位置での苗の植付が完全に終わってからブロアモータ５８ａが停止するため、施肥漏れが防止できる。また、旋回を終了して苗を植え付けはじめる直前にブロアモータ５８ａを始動させることにより、植付再開直後から確実に肥料を供給できる。施肥漏れが防止されることにより、苗の生育が均等になり、収穫作業が能率よく行える。
【０１３０】
また、図１７で示すとおり、前記肥料ホッパ６０内に投入した肥料の重量を検出する肥料重量センサ１１３を設け、前記繰出部６１が放出する肥料の量（施肥開度）を変更する開度調節装置１１４を設ける。該開度調節装置１１４には、現在の開度を検出する開度センサ（ポテンショメータまたはストロークセンサ）１１５を設け、検出される数値の増減をコントローラ１００に送り、現在の肥料の放出量（施肥量）Ｅを算出する。
【０１３１】
そして、前記コントローラ１００に機体の植付条数（本件の苗移植機であれば８条）と、植付装置５２…の左右間、所謂条間（本件の苗移植機であれば約３０ｃｍ）、前記肥料重量センサ１１３が検出した肥料の重量を記憶させる。さらに、前記左右の後輪回転センサ１０５，１０５が苗植付作業１〜２往復で検出した回転数と、コントローラ１００に記憶している機体の植付条数と、作業者が入力するその圃場で作業を終えるまでのおおよその往復回数から、圃場の面積をコントローラ１００で概算する。
【０１３２】
そして、算出された圃場面積Ａから作業終了までに消費される肥料の仮想消費量Ｖを算出し、該仮想消費量Ｖを入力した往復回数で割って、１往復当たりに必要な肥料の仮想消費量Ｖ２を算出する。そして、前記肥料重量センサ１１３が検出する肥料ホッパ６０内の重量のうち、１往復の作業の開始時と終了時の数値を比較し、その差から実体消費量Ｓを算出する。
【０１３３】
該実体消費量Ｓと１往復当たりの仮想消費量Ｖ２を比較し、実体消費量Ｓが仮想消費量Ｖ２と合致する（Ｓ＝Ｖ２）、または仮想消費量Ｖ２の許容範囲内に収まっていれば（Ｓ≒Ｖ２）、現在の放出量Ｅを維持する。
【０１３４】
実体消費量Ｓが仮想消費量Ｖ２の許容範囲を下回る（Ｓ＜Ｖ２）ときは、肥料の供給量が設定よりも少なくなっていると判断できるので、コントローラ１００が開度調節装置１１４と開度センサ１１５に信号を送り、仮想消費量Ｖ２から実体消費量Ｓを差し引いた（Ｖ２−Ｓ）放出量Ｅとなる位置を開度センサ１１５が検出するまで、開度調節装置１１４を開放方向に作動させる。
【０１３５】
一方、実体消費量Ｓが仮想消費量Ｖ２の許容範囲を上回る（Ｓ＞Ｖ２）ときは、肥料の供給量が設定よりも多くなっていると判断できるので、コントローラ１００が開度調節装置１１４と開度センサ１１５に信号を送り、仮想消費量Ｖ２から実体消費量Ｓを差し引いた（Ｖ２−Ｓ）放出量Ｅとなる位置を開度センサ１１５が検出するまで、開度調節装置１１４を閉鎖方向に作動させる。
【０１３６】
上記制御構成としたことにより、所定面積における施肥量を適切な範囲内に収めることができるので、肥料が過剰に供給されて苗が軟弱に成長し、台風等によって倒伏してしまうことを防止できるので、コンバイン等収穫機を用いた収穫作業が容易になり、作業能率が向上する。
【０１３７】
また、肥料が作業者の予想よりも早く切れることが防止されるため、肥料の補充作業を計画的に行うことができるので、苗の植付作業中に圃場端に戻って肥料を補充する作業が不要となり、作業能率が向上する。
【０１３８】
そして、肥料不足により苗が生育不良を起こすことを防止できるので、計画的な作物の栽培が行え、適切な時期に追肥や雑草処理、収穫等を行えるため、作物の品質や作業能率が向上する。
【０１３９】
前記センターロータ２７ａと左右のサイドロータ２７ｂ，２７ｂは、苗載せ台５１…の前記支持枠体６５の両側辺部材６５ｂに上端を回動自在に支持された梁部材と、該梁部材の両端に固着した支持アームと、該支持アームに回動自在に取り付けられたロータ支持フレームからなる支持構造部に支持されている。該ロータ支持フレームの下端には、センターロータ２７ａとサイドロータ２７ｂ，２７ｂのそれぞれの駆動軸７０ａ，７０ｂが取り付けられている。また、前記ロータ支持フレーム６８の下端部近くは、前記苗植付伝動ケース５０に回動自在に取り付けられた連結部材７１に連結されている。
【０１４０】
そして、前記センターフロート５５の前方にセンターロータ２７ａを配置し、該センターフロート２７ａは、前記サイドフロート５６，５６とミドルフロート５７，５７の前方に配置するサイドロータ２７ｂ，２７ｂよりも前方に配置する。さらに、前記左右一側、本件では機体左側の前記後輪ギアケース１８と左側のサイドロータ２７ｂのロータ入力ケース（図示省略）を、ロータ伝動ロッド２７ｃで連結し、センターロータ２７ａ及び左右のサイドロータ２７ｂ，２７ｂに駆動力が伝動される構成とする。
【０１４１】
なお、左側の後輪ギアケース１８からロータ伝動ロッド２７ｃを経由してロータ入力ケースに入力された駆動軸は、左側のサイドロータ２７ｂの駆動軸７０ｂを回転させ、左右のサイドロータ２７ｂ，２７ｂとセンターロータ２７ａを連結する左右の整地伝動ケース７３，７３のうち、左側の整地伝動ケース７３を経由してセンターロータ２７ａの駆動軸７０ａを回転させる。そして、該駆動軸７０ａから右側の整地伝動ケース７３を経由して左側のサイドロータ２７ｂの回転軸７０ｂを回転させる。
【０１４２】
上記の苗移植機は、センターフロート５５、サイドフロート５６，５６、及びミドルフロート５７，５７を苗植付部４の下部に設け、圃場面の整地を行うと共に、圃場の凹凸を検出して油圧バルブ１０６の送油量を切り替えて昇降油圧シリンダ４６を伸縮させて、苗植付部４の作業高さを最適な高さに調節する構成としている。
【０１４３】
しかしながら、圃場面の整地は駆動回転するセンターロータ２７ａと左右のサイドロータ２７ｂ，２７ｂで行っており、上記各フロート５５，５６，５７で整地するのは僅かな凹凸である。また、圃場面に設置するセンターフロート５５の上下回動量を仰角センサ１０８で検出する方式は、圃場の土質や水量、走行速度や植付深さの設定の違いにより、過敏に上下位置調節制御を行ない、かえって植付深さを不安定にする問題がある。
【０１４４】
逆に、検知精度が鈍くなり過ぎて、苗植付部４の上下位置を変更する必要があるときにも上下位置の変更を行わず、苗の植付深さが深くなり過ぎる、もしくは浅くなり過ぎる問題がある。上記の問題の存在から、センターフロート５５の上下回動を基準としない、別の制御方法を導入する余地がある。
【０１４５】
図１８、図１９で示すとおり、左右の後輪１１，１１のスポーク１１ｓに所定間隔毎に電気抵抗センサ（ＥＣセンサ）１１６…を設ける。該電気抵抗センサ１１６…は、左右間に亘って電気を流し、電気の流れから抵抗値を算出するものである。なお、本例では、空気中では無限の抵抗値を受けていると認識するものを用いる。
【０１４６】
該電気抵抗センサ１１６…を水の張られた圃場に進入させると、水中に溶け込んだ土壌成分により、左右の後輪１１，１１間に電気が流れ、抵抗値が検出される。電気抵抗センサ１１６…が検出を行うと、その部分は水中に位置していることになるので、前記スポーク１１ｓに所定間隔毎に複数設けた電気抵抗センサ１１６…のうち、抵抗値を検出しているものから、後輪１１がどこまで水中及び土中に潜り込んでいるかが判断される構成となる。
【０１４７】
そして、前記電気抵抗センサ１１６…の検出数からコントローラ１００が油圧バルブ１０６に送油を変更する信号を発信し、この信号に合わせて前記昇降油圧シリンダ４６が伸縮して、苗植付部４を圃場の深さに合った植付作業高さに自動調節する構成とする。
【０１４８】
なお、油圧バルブ１０６への変更信号は、抵抗値を検出する電気抵抗センサ１１６…の数が増えたときは圃場が深くなったと判断して昇降油圧バルブ４６を伸長させる信号を発信し、苗植付部４を下降させる。一方、電気抵抗センサ１１６…の数が減ったときは圃場が浅くなったと判断して昇降油圧バルブ４６を収縮させる信号を発信し、苗植付部４を上昇させる。
【０１４９】
上記構成により、センターフロート５５と仰角センサ１０８を用いることなく圃場の深さを検出し、苗植付部４を適切な作業高さに設定することができるので、圃場全体の苗の植付深さがバラつきにくく、苗の生育が均等になる。
【０１５０】
また、複数の電気抵抗センサ１１６…が抵抗値を検出するか否かで深さを判断することにより、細かい深さの変更に即座に対応することができるので、苗植付部４の植付作業高さが適切なタイミングで変更されるため、苗の植付深さが安定する。
【０１５１】
そして、センターフロート５５、左右のサイドフロート５６，５６、左右のミドルフロート５７，５７が不要となるので、苗植付部４の構成が簡潔になる。
【０１５２】
しかしながら、上記の各フロート５５，５６，５７は、機体を軽トラック等で輸送する際、及び倉庫等に収容する際、苗植付部４が圃場面に設置する際の受部材としての役割も果たしている。このため、各フロート５５，５６，５７をより簡素な構造とし、下降時に苗植付部４の下部に設ける植付装置５２等が圃場に接触することを防止する防護体として、残しておいてもよい。
【０１５３】
上記構成により、苗植付部４を下降させる際、苗植付部４の下部が地面と接触する衝撃で破損することを防止できるので、苗植付部４の耐久性が向上する。
【０１５４】
図２０で示す油圧回路図は、前記油圧式無段変速装置２３に、前記トラニオン軸２３ａを回動操作するサーボバルブ１２０と、該サーボバルブ１２０から供給される作動油によって伸縮してトラニオン軸２３ａを回動させるサーボシリンダ１２１を設けると共に、該サーボバルブ１２０とサーボシリンダ１２１を連結する回路に、開閉操作自在なサーボ切替弁１２２を設けたものである。
【０１５５】
上記構成により、サーボバルブ１２０やサーボシリンダ１２１を作動させる作動油内に汚濁物が蓄積し、サーボバルブ１２０が汚濁物によって固着して正常に作動しなくなったときは、サーボ切替弁１２２を開放してサーボシリンダ１２１内の作動油を強制的に逃がすことができるので、トラニオン軸２３ａが動かず変速操作や停止操作が受け付けられなくなることが防止され、変速や停止が必要な際に正常に行われるため、操作性や作業能率が向上する。
【０１５６】
なお、前記サーボ切替弁１２２を操作してサーボシリンダ１２１から逃がされた作動油はタンクポート１２３に移動する油圧回路としているが、同時に前記サーボバルブ１２０のＰポート１２４への作動油の供給を停止する構成としてもよい。
【０１５７】
上記構成により、サーボバルブ１２０に作動油が流入しなくなるので、作動油が逃がされて圧力が低下しているサーボシリンダ１２１の圧力が再度強まることが防止されて、トラニオン軸２３ａの操作が受け付けられなくなることが防止される。
【０１５８】
前記サーボシリンダ１２１を伸縮させる際、図２１で示すとおり、伸縮作動はディザ電流を用いて行っている。ディザ電流は、振幅を大きくすると確実にサーボシリンダ１２１を作動させることができるが、振幅が大きくなると伸縮量も大きくなり、細やかな伸縮制御が難しく、また作動時に強い衝撃が生じる問題がある。逆に、振幅を小さくすると伸縮量が小さくなるため、細やかな伸縮制御が可能であり、作動時に強い衝撃が発生することも無いが、サーボシリンダ１２１が十分な作動をしなかったり、作動が遅れたりするという問題がある。
【０１５９】
このため、走行速度や送油量を増やす際、即ちトラニオン軸２３ａの開度を大きくするときは、細やかな変更操作に対応すると共に衝撃の発生を防止すべくディザ電流の振幅を小さくする（例：０．７Ａ）と共に、確実にサーボシリンダ１２１が作動する必要のある減速時や停止時には、ディザ電流の振幅を大きくする（例：０．９Ａ）制御構成とした。上記構成により、増速時や送油量を増やすときにはサーボシリンダ１２１が細かく且つゆっくりと伸縮するため、細かい変更操作が確実に受け付けられると共に、操作時に強い衝撃が機体に生じることを防止できるので、操作性が向上すると共に、作業者の労力が軽減される。
【０１６０】
また、減速時や停止時にはサーボシリンダ１２１が素早く伸縮するため、トラニオン軸２３ａの開度を急激に小さくして、急停車する必要があるときに確実に停止することができるので、操作性がいっそう向上すると共に、停止位置が作業者の意図から外れることがなく、余分な前後進操作が不要となる。
【０１６１】
なお、上記ではディザ電流の振幅の大小を変更しているが、図２２で示すとおり、トラニオン軸２３ａの開度を大きくするときはディザ電流の周波数を高く（例：９０Ｈｚ）し、トラニオン軸２３ａの開度を小さくするときはディザ電流の周波数を低く（例：７０Ｈｚ）する構成としてもよい。
【０１６２】
また、図２３で示すとおり、圃場内で植付作業を行う作業速、所謂「植付速」であるときはディザ電流の振幅を小さく、または周波数を大きくして微細な変更操作を可能とすると共に、圃場外を走行する作業速、所謂「走行速」であるときはディザ電流の振幅を大きく、または周波数を小さくして急減速や急停車に対応可能に構成しても良い。
【０１６３】
「走行速」を用いるのは、他の車両が走行する道路であり、圃場から苗移植機の収容場所（家や倉庫）までの距離が長いと、その間に信号や横断歩道等があることが十分に考えられる。このとき、急減速や急停車が確実に機能することにより、路上走行時の安全性が確保される。
【０１６４】
また、前記走行操作レバー１６の操作量を検出する走行ポテンショメータ１６ａに加え、前記トラニオン軸２３ａの開度を操作するトラニオンアーム２４の回動量を検出するトラニオンポテンショメータ１２５を設ける。
【０１６５】
該トラニオンポテンショメータ１２５と走行ポテンショメータ１６ａは、コントローラ１００に制御されているので基本的にはシンクロ動作し、走行操作レバー１６の操作量が走行速度の変化にダイレクトに反映される。しかしながら、走行操作レバー１６とトラニオンアーム２４は連動機構を有さないため、走行ポテンショメータ１６ａの検出した操作量にトラニオンポテンショメータ１２５の検出した回動量が到達しないことがある。トラニオンポテンショメータ１２５の検出した回動量が小さいと、作業者が想定した走行速度よりも若干遅い速度で走行するので、作業能率が低下すると共に、作業者が走行操作レバー１６をさらに操作して微調整を行わねばならず、操作性が低下する。田植機は低速で作業するものであり、スピードメータを搭載していないことが多く、作業者は体感速度または走行操作レバー１６の操作量から走行速度を判断しなければならない。
【０１６６】
上記問題を解消すべく、コントローラ１００は走行ポテンショメータ１６ａの検出値とトラニオンポテンショメータ１２５の検出値を比較し、検出値の差が一致しないときは、前記サーボシリンダ１２１へのディザ電流の振幅または周波数を変更し、検出値が一致するまでサーボシリンダ１２１を作動させて、トラニオン軸２３ａの開度を調節する構成とする。
【０１６７】
上記構成により、走行操作レバー１６の操作量に対応するトラニオン軸２３ａの開度を強制的に実現することができるので、走行操作レバー１６の操作量を走行速度として信頼することができ、操作性が大幅に向上する。
【０１６８】
また、作業者が必要な走行速度を確保すべく、走行操作レバー１６ａを細かく操作する必要がなくなるので、作業者の労力が軽減される。
【０１６９】
なお、前記サーボバルブ１２０が汚濁物により作動せず、ディザ電流の振幅または周波数を変更してもサーボシリンダ１２１が作動しないときは、トラニオン軸２３ａの開度を変更し得ない状態であると判断し、通知装置１０４を作動させて作業者に知らせる構成とすると、作業者がサーボバルブ１２０の問題に早期に気付くことができる。坂道などの傾斜地で田植機を停車させるとき、油圧式無段変速装置２３から作動油が漏れると、傾斜に沿って田植機が走行してしまうことがある。
【０１７０】
これを防止すべく、図２５で示すとおり、前記傾斜検知センサ１０１で機体の前後方向の傾斜を検出し、走行操作レバー１６が中立位置であるときに所定値（例：±５度）以上の傾斜角度を検出すると、サーボシリンダ１２１を作動させてトラニオン軸２３ａの開度を大きく（例：±１度）し、作動油の漏出を防止する制御構成とする。
【０１７１】
また、前記後輪回転センサ１０５，１０５で後輪１１，１１の回転を検出し、回転が検出されている間はサーボシリンダ１２１を作動させてトラニオン軸２３ａの開度を徐々に大きく（例：±０．１度ずつ）し、回転が検出されなくなるとその時点でトラニオン軸２３ａの開度を保持する制御構成とする。
【０１７２】
上記構成により、坂道であっても確実に停車状態とすることができるので、車輪の回転を防止する楔を設置する作業が不要となり、作業者の労力が軽減されると共に、作業能率が向上する。また、坂道を移動した田植機を追って停止操作する必要が無く、作業者の労力が大幅に軽減される。上記のサーボシリンダ１２１は、前記ＨＳＴサーボモータ２３ｂに置き換えても良く、サーボバルブ１２０は、前記油圧バルブ１０６に置き換えても良い。
【符号の説明】
【０１７３】
２      走行車体
４ 苗植付部
１０    前輪（操舵輪）
１６ 走行操作レバー
１６ａ レバーポテンショメータ
１６ｂ 昇降操作スイッチ
２３ 無段変速装置
２３ａ トラニオン軸
３４    ハンドル（操作部材）
３８    予備苗枠
３８ａ 補助苗載せ台
３８ｂ 予備苗載せ台
３８ｃ 予備苗載せ台
３８ｄ 予備苗載せ台
４６ 昇降油圧シリンダ
１０１  傾斜検知センサ（傾斜検知部材）
１０３  直進制御スイッチ（制御操作部材）
１０４  通知装置
１２０ サーボバルブ
１２１ サーボシリンダ
１２２ サーボ切替弁
１２５ トラニオンポテンショメータ
３８３ 主リンクアーム
３８６ 副リンクアーム
３９０ 電動モータ
３９３ 取付支柱
【図１】
0005891686.tif 000002
【図２】
0005891686.tif 000003
【図３】
0005891686.tif 000004
【図４】
0005891686.tif 000005
【図５】
0005891686.tif 000006
【図６】
0005891686.tif 000007
【図７】
0005891686.tif 000008
【図８】
0005891686.tif 000009
【図９】
0005891686.tif 000010
【図１０】
0005891686.tif 000011
【図１１】
0005891686.tif 000012
【図１２】
0005891686.tif 000013
【図１３】
0005891686.tif 000014
【図１４】
0005891686.tif 000015
【図１５】
0005891686.tif 000016
【図１６】
0005891686.tif 000017
【図１７】
0005891686.tif 000018
【図１８】
0005891686.tif 000019
【図１９】
0005891686.tif 000020
【図２０】
0005891686.tif 000021
【図２１】
0005891686.tif 000022
【図２２】
0005891686.tif 000023
【図２３】
0005891686.tif 000024
【図２４】
0005891686.tif 000025
【図２５】
0005891686.tif 000026